(57)【要約】【課題】複雑な構成を用いることなく、見えない状態での体温測定中の誤操作による電源切断を防止する。【解決手段】通電状態で、電源スイッチ１５が押し下げられたか否か監視する（ＳＴ１）。押し下げられていない時は、押し下げられたか否かの監視を継続する。電源スイッチ１５が押し下げられたと判定したときは、その後電源スイッチ１５がそのまま２秒以上押し続けられたか否かを監視する（ＳＴ２）。電源スイッチ１５が２秒以上押し続けられなかったと判定したときは、ＳＴ１に戻って、電源スイッチ１５が押し下げられたか否かの監視を続行する。電源スイッチ１５が２秒以上押し続けられたと判定したときは、電源を切断する処理を開始する（ＳＴ３）。【選択図】  図３
2006118926.tif 000002
【特許請求の範囲】
【請求項１】
使用者が通電状態からに電源を切断するために操作する電源スイッチと、前記電源スイッチの操作に基づいて電源の切断処理を実行する制御部とを備え、
前記制御部は、前記電源を切断するための予め設定されたパターンで前記電源スイッチが操作されたと判定したときに電源を切断することを特徴とする電子体温計。
【請求項２】
前記電源スイッチは使用者が電源を投入するために操作するスイッチを兼ねており、
電源を投入するための操作パターンは、前記電源を切断するための予め設定されたパターンとは異なるパターンであることを特徴とする請求項１記載の電子体温計。
【請求項３】
前記電源を切断するための予め設定されたパターンは、所定時間以上電源スイッチを押し続けるものであることを特徴とする請求項１又は請求項２のいずれかに記載の電子体温計。
【請求項４】
報知音を発生する報音部をさらに備え、
前記制御部は前記電源を切断するための予め設定されたパターンとして所定時間以上電源スイッチが押し続けられたと判定したときに報知音を発生させるように報音部を駆動制御し、電源を切断することを特徴とする請求項３記載の電子体温計。
【請求項５】
前記電源を切断するための予め設定されたパターンは、第１の所定時間以上かつ第２の所定時間以内電源スイッチを押し続けるものであることを特徴とする請求項１又は請求項２のいずれかに記載の電子体温計。
【請求項６】
報知音を発生する報音部をさらに備え、
前記制御部は前記電源を切断するための予め設定されたパターンとして第１の所定時間以上電源スイッチが押し続けられたと判定したときに報知音を発生させるように報音部を駆動制御し、報知音を発生させてから第２の所定時間以内に電源スイッチが開放されたと判定したときに電源を切断することを特徴とする請求項１又は請求項２のいずれかに記載の電子体温計。
【請求項７】
前記電源を切断するための予め設定されたパターンは、所定時間内に電源スイッチを所定回数押すものであることを特徴とする請求項１又は請求項２のいずれかに記載の電子体温計。
【発明の詳細な説明】
【技術分野】
【０００１】
この発明は、電子体温計に関し、特に、測定中の誤操作防止に関する。
【背景技術】
【０００２】
身体の体温を測定する電子体温計として、感温部を身体の被測定部（腋下、舌下等）に接触させて体温を測定する接触式のものや、鼓膜等からの熱放射を測定する非接触式のものが提案されている。一般的な接触式の電子体温計は略ペン状の細長い本体と、本体先端部に設けられた感温部と、本体側面に設けられた測定結果などの表示部と、本体後部もしくは側面に設けられた電源スイッチと、本体に内蔵された測温、演算等を実行する制御部で構成されている。
【０００３】
このような電子体温計においては最も一般的な被測定部は腋下であり、使用者は電子体温計を衣服の内側において腋下に数十秒から数分間はさんで測定する。使用者は衣服の内側という見えない位置で電子体温計を腋下に接触させておく必要があり、特に幼児等が測定中に姿勢を変えてしまうことなどにより、誤って電源スイッチを押して電源を切断してしまう可能性があるという課題を有する。
【０００４】
このような背景の元、プッシュ式スイッチボタンを棒状ケースの他端に設けた裏ぶたによって支持して設けることより、スイッチ位置を、電子体温計を保持するときの指の位置と一致することを回避する構成が提案されている（例えば特許文献１参照）。また、マグネットリードスイッチが設けられた電子体温計を収納した際にマグネットリードスイッチを作動させる磁石が設けられた電子体温計用ケースにより、電子体温計に使用者が操作すべきスイッチを設けない構成が提案されている（例えば特許文献２参照）。
【特許文献１】特公平６−２９７９０号公報
【特許文献２】実公平７−４４９８６号公報
【発明の開示】
【発明が解決しようとする課題】
【０００５】
しかしながら、特許文献１によって開示された技術では電子体温計を指で保持して腋下に挿入したり取り出したりする際の誤操作は回避できる可能性はあるものの、衣服の内側での測定中に誤ってスイッチボタンに触れてしまうことで電源が切断されてしまうという課題が残っている。
【０００６】
また、特許文献２によって開示された技術では使用者が操作するスイッチを備えていないため測定中の誤操作による電源切断は回避できるものの、電子体温計の構成が複雑になるばかりかケースがないと電子体温計の電源を切断できないという課題がある。
【０００７】
この発明は従来技術の上述した問題点に着目したもので、複雑な構成を用いることなく見えない状態での体温測定中の誤操作による電源切断を防止することを目的としている。
【課題を解決するための手段】
【０００８】
この発明のある局面に従う電子体温計は、使用者が通電状態から電源を切断するために操作する電源スイッチと、電源スイッチの操作に基づいて電源の切断処理を実行する制御部とを備え、制御部は、電源を切断するための予め設定されたパターンで電源スイッチが操作されたと判定したときに電源を切断することを特徴とする。
【０００９】
好ましくは、電源スイッチは使用者が電源を投入するために操作するスイッチを兼ねており、電源を投入するための操作パターンは、電源を切断するための予め設定されたパターンとは異なるパターンである。
【００１０】
好ましくは、電源を切断するための予め設定されたパターンは、所定時間以上電源スイッチを押し続けるものである。
【００１１】
好ましくは、報知音を発生する報音部をさらに備え、制御部は電源を切断するための予め設定されたパターンとして所定時間以上電源スイッチが押し続けられたと判定したときに報知音を発生させるように報音部を駆動制御し、電源を切断する。
【００１２】
好ましくは、電源を切断するための予め設定されたパターンは、第１の所定時間以上かつ第２の所定時間以内電源スイッチを押し続けるものである。
【００１３】
好ましくは、報知音を発生する報音部をさらに備え、制御部は電源を切断するための予め設定されたパターンとして第１の所定時間以上電源スイッチが押し続けられたと判定したときに報知音を発生させるように報音部を駆動制御し、報知音を発生させてから第２の所定時間以内に電源スイッチが開放されたと判定したときに電源を切断する。
【００１４】
好ましくは、電源を切断するための予め設定されたパターンは、所定時間内に電源スイッチを所定回数押すものである。
【発明の効果】
【００１５】
本発明によれば、予め設定された特徴的な操作パターンで電源スイッチが操作された場合のみ電源を切断することにより、意図しない電源スイッチへの接触等により体温測定中に電源が切断されてしまうことを防止することができる。また、予め設定された操作パターンが成立したことを報知音により報知することにより、使用者による電源切断操作がより確実に実行されることを実現することができる。
【発明を実施するための最良の形態】
【００１６】
以下、この発明の実施の形態について図面を参照して説明する。
【００１７】
（電子体温計の外観構造）
図１は本実施の形態における電子体温計の外観構造が示される。図１の（Ａ）は電子体温計の上面図、（Ｂ）は正面図である。
【００１８】
本実施の形態における電子体温計１は、使用者の腋下等の被測定部に接触させやすい形状、大きさである。電子体温計１は、本体２に感温部３、表示部４及び電源スイッチ操作部５を設けて構成される。
【００１９】
本体２はプラスチック製で、使用者が腋下等にはさみやすいように下方が細長い形状に形成されており、上方は測定結果等の表示を大きくして優れた視認性を実現するために幅広の略矩形状に形成されている。
【００２０】
感温部３はステンレス製で、本体２の下端に設けられており、内部には感温素子としてのサーミスタ（後述）を内蔵している。
【００２１】
表示部４は体温の測定結果や動作状態等を表示するためのもので、本体２の上方正面側に設けられている。
【００２２】
電源スイッチ操作部５は、本体２に内蔵される電源スイッチ（後述）を操作するためのものであり、本体２の上端に設けられている。
【００２３】
（電子体温計の機能ブロック）
図２は本実施の形態における電子体温計の機能ブロック図が示される。
【００２４】
本実施の形態における電子体温計１は、本体２の内部に処理回路が内蔵されている。処理回路は、たとえば、感温部３内に内蔵され、使用者の体温をアナログ電気信号に変換するサーミスタ１２、サーミスタ１２からのアナログ電気信号をデジタル信号に変換するＡ／Ｄコンバータ１３、Ａ／Ｄコンバータ１３よりのデジタル信号、電源スイッチ１５のオン／オフ信号等を取り込み、体温測定、電源の入／切のための各種演算を行なう制御部としてのＣＰＵ１１、体温の測定結果や動作状態等を表示するための表示部としてのＬＣＤ１４、電源の入／切命令を入力する電源スイッチ１５、報知音を発生する報音部としてのブザー１６、および電源としての電池１７を備える。
【００２５】
（処理回路の体温測定動作）
本実施の形態における電子体温計１の処理回路における体温測定動作は公知の技術を用いればよく、たとえば下記のように実行される。
【００２６】
まず、電源が通電されていない状態であれば、使用者が本体２の上端に設けられた電源スイッチ操作部５を押し下げることにより、処理回路の電源スイッチ１５が操作され、処理回路の電源が投入される。ＣＰＵ１１は初期化処理を実行し、体温測定の準備が完了した旨をＬＣＤ１４に表示する。使用者が感温部３を腋下等の被測定部に接触させると、感温部３内のサーミスタ１２が使用者の体温情報をアナログ電気信号に変換する。サーミスタ１２からのアナログ電気信号はＡ／Ｄコンバータ１３によってデジタル信号へと変換され、ＣＰＵ１１に入力される。ＣＰＵ１１は入力されたデジタル信号に基づいて体温の測定が開始されたことを判断し、測定処理中である旨をＬＣＤ１４に表示する。ＣＰＵ１１はまた、入力されたデジタル信号に基づいて使用者の体温を演算する。体温の演算が完了したら、ＣＰＵ１１は測定が完了した旨をＬＣＤ１４とブザー１６により報知し、体温の測定結果をＬＣＤ１４に表示する。ブザー１６の報知音で体温測定が完了した旨を知った使用者は電子体温計１を被測定部から取り出してＬＣＤ１４に表示された測定結果を確認した後、電源スイッチ操作部５を押し下げる。電源スイッチ１５が操作されるとＣＰＵ１１は処理回路の電源を切断する処理を実行し、測定動作が完了する。
【００２７】
使用者が腋下で体温を測定する場合、一般的には衣服を着た状態で電子体温計１を衣服の内側に挿入し、感温部３を腋下に接触させる。体温の測定には数十秒から数分間この状態を維持する必要がある。使用者は電子体温計１を腋下にはさむか、衣服の上から手で電子体温計１を支えるかして測定姿勢を維持する。しかしながら、特に幼児等は体温の測定中にその姿勢を変えてしまったり、支えていた手を動かしてしまったりすることが多く、その場合に電源スイッチ操作部５が誤って押し下げられてしまう可能性がある。
【００２８】
（電子体温計の電源切断処理）
そこで、本実施の形態における電子体温計１においては、通電状態から電源を切断するための予め設定されたパターンで電源スイッチ１５が操作されたと判定した時にのみＣＰＵ１１が電源切断処理を実行する構成とした。
【００２９】
図３は本実施の形態における電子体温計１の電源切断処理を説明するフローチャートが示される。
【００３０】
電子体温計１の処理回路が通電状態である時、ＣＰＵ１１は電源スイッチ１５が押し下げられたかどうかを監視する（ステップ１、以下ＳＴ１）。電源スイッチ１５が押し下げられていないと判定したときは（ＳＴ１でＮＯ）、ＣＰＵ１１はＳＴ１に戻って電源スイッチ１５が押し下げられたかどうかの監視を継続する。電源スイッチ１５が押し下げられたと判定したときは（ＳＴ１でＹＥＳ）、ＣＰＵ１１は電源スイッチ１５がそのまま連続して２秒以上押し続けられたかどうかを監視する（ＳＴ２）。電源スイッチ１５が２秒以上押し続けられなかったと判定したときは（ＳＴ２でＮＯ）、ＣＰＵ１１はＳＴ１に戻って電源スイッチ１５が押し下げられたかどうかの監視を継続する。電源スイッチ１５が２秒以上押し続けられたと判定したときは（ＳＴ２でＹＥＳ）、ＣＰＵ１１は処理回路の電源を切断する処理を開始し（ＳＴ３）、処理が完了する。
【００３１】
このようにすれば、使用者が衣服の内側で電子体温計１を腋下にはさんで体温を測定している途中で意図せずに電源スイッチ操作部５に触れてしまったとしても、処理回路の電源が切断されて体温測定を中断させてしまうことがない。
【００３２】
この実施形態では、ＳＴ２において電源スイッチ１５が押し続けられる所定時間を２秒以上としたが、これは不意に電源スイッチ操作部５に手などが瞬間的に触れてしまった場合は電源切断処理を実行しないことを考慮し、かつ必要以上に長時間電源スイッチ操作部５を押し続けることを使用者に要求することで操作性が悪化することを考慮して設定したものである。しかしながら、この所定時間は予め設定されてさえいれば２秒に限定されるものではない。
【００３３】
また、本実施の形態における電子体温計１において、電源スイッチ１５は処理回路の電源の切断だけではなく投入にも用いられるように構成されている。電源を投入する際は当然のことながら体温測定は開始されておらず、また、使用者が視認しながら電源スイッチ操作部５を操作することが可能であることから、電源スイッチ１５が単純に押し下げられた時に電源を投入するように構成すればよい。このように、電源スイッチ操作部５の操作パターンを電源投入と電源切断とで異なるパターンとしておくことで、使用者による電源切断の操作がより確実なものとすることができる。
【００３４】
なお、ＳＴ３においてＣＰＵ１１が電源切断処理を開始する際に、ブザー１６を駆動して報知音を発生させるようにしてもよい。このようにすれば、使用者は電源切断の操作が成立したことを把握しやすくなり、万一体温測定中に誤操作によって電源切断処理が実行された場合、体温測定が中断してしまったことが把握できる。
【００３５】
次に、上記電子体温計の電源切断処理の他の例を、本発明の他の実施形態として説明する。
【００３６】
図４は同実施の形態における電子体温計１の電源切断処理を説明するフローチャートが示される。
【００３７】
電子体温計１の処理回路が通電状態である時、ＣＰＵ１１は電源スイッチ１５が押し下げられたかどうかを監視する（ＳＴ１１）。電源スイッチ１５が押し下げられていないと判定したときは（ＳＴ１１でＮＯ）、ＣＰＵ１１はＳＴ１１に戻って電源スイッチ１５が押し下げられたかどうかの監視を継続する。電源スイッチ１５が押し下げられたと判定したときは（ＳＴ１１でＹＥＳ）、ＣＰＵ１１は電源スイッチ１５がそのまま連続して２秒押し続けられたかどうかを監視する（ＳＴ１２）。電源スイッチ１５が２秒押し続けられなかったと判定したときは（ＳＴ１２でＮＯ）、ＣＰＵ１１はＳＴ１１に戻って電源スイッチ１５が押し下げられたかどうかの監視を継続する。電源スイッチ１５が２秒押し続けられたと判定したときは（ＳＴ１２でＹＥＳ）、ＣＰＵ１１はその後３秒以内に電源スイッチ１５の押し下げが開放されたかどうかを監視する（ＳＴ１３）。電源スイッチ１５の押し下げが３秒以内に開放されなかったと判定したときは（ＳＴ１３でＮＯ）、ＣＰＵ１１はＳＴ１１に戻って電源スイッチ１５が押し下げられたかどうかの監視を継続する。電源スイッチ１５の押し下げが３秒以内に開放されたと判定したときは（ＳＴ１３でＹＥＳ）、ＣＰＵ１１は処理回路の電源を切断する処理を実行し（ＳＴ１４）、処理が完了する。
【００３８】
この実施形態のようにすれば、使用者が衣服の内側で電子体温計１を腋下にはさんで体温を測定している途中で意図せずに電源スイッチ操作部５が長時間押され続けたとしても処理回路の電源が切断されて体温測定を中断させてしまうことがない。
【００３９】
なお、ＳＴ１２において電源スイッチ５が２秒押し続けられたことをＣＰＵ１１が判定した際に、ブザー１６を駆動して報知音を発生させるようにしてもよい。このようにすれば、使用者は電源切断の操作のために電源スイッチ操作部５の押し下げを開放するタイミングが把握しやすくなり、電源切断のための操作がより確実に実行される。また、万一体温測定中に誤操作によって電源スイッチ１５が２秒以上押し続けられた場合でも、ブザー１６による報知音の発生後３秒を超えてそのまま電源スイッチ１５が押し続けられれば、電源切断処理が実行されないため、体温測定の中断を防止することができる。
【００４０】
この実施形態においても、ＳＴ１２およびＳＴ１３における各所定時間は予め設定されてさえいれば実施形態で用いた時間に限定されるものではない。
【００４１】
図５は、さらに他の実施の形態である電子体温計１の電源切断処理を説明するフローチャートが示される。
【００４２】
電子体温計１の処理回路が通電状態である時、ＣＰＵ１１は電源スイッチ１５が押し下げられたかどうかを監視する（ＳＴ２１）。電源スイッチ１５が押し下げられていないと判定したときは（ＳＴ２１でＮＯ）、ＣＰＵ１１はＳＴ２１に戻って電源スイッチ１５が押し下げられたかどうかの監視を継続する。電源スイッチ１５が押し下げられたと判定したときは（ＳＴ２１でＹＥＳ）、ＣＰＵ１１はその後３秒以内に電源スイッチ１５が３回押し下げられたかどうかを監視する（ＳＴ２２）。３秒以内に電源スイッチ１５が３回押し下げられなかったと判定したときは（ＳＴ２２でＮＯ）、ＣＰＵ１１はＳＴ２１に戻って電源スイッチ１５が押し下げられたかどうかの監視を継続する。３秒以内に電源スイッチ１５が３回押し下げられたと判定したときは（ＳＴ２２でＹＥＳ）、ＣＰＵ１１は処理回路の電源を切断する処理を開始し（ＳＴ２３）、処理が完了する。
【００４３】
この実施形態のようにすれば、使用者が衣服の内側で電子体温計１を腋下にはさんで体温を測定している途中で意図せずに電源スイッチ操作部５に触れてしまったとしても処理回路の電源が切断されて体温測定を中断させてしまうことがない。
【００４４】
この実施形態においても、ＳＴ２２における所定時間や電源スイッチ１５を押し下げる所定回数は予め設定されてさえいれば実施形態で用いた時間に限定されるものではない。      
【００４５】
なお、ＳＴ２３においてＣＰＵ１１が電源切断処理を開始する際に、ブザー１６を駆動して報知音を発生させるようにしてもよい。このようにすれば、使用者は電源切断の操作が成立したことを把握しやすくなり、万一体温測定中に誤操作によって電源切断処理が実行された場合、体温測定が中断してしまったことが把握できる。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４７】
【図１】本発明の実施の形態における電子体温計の外観図であり、（Ａ）は上面図，（Ｂ）は、正面図である。
【図２】同実施の形態における電子体温計の機能ブロック図である。
【図３】同実施の形態における電子体温計の電源切断処理を説明するフローチャートである。
【図４】本発明の他の実施の形態である電子体温計の電源切断処理を説明するフローチャートである。
【図５】本発明のさらに他の実施の形態である電子体温計の電源切断処理を説明するフローチャートである。
【符号の説明】
【００４８】
１    電子体温計
２    本体
３    感温部
４    表示部
５    電源スイッチ操作部
１１  ＣＰＵ（制御部）
１２  サーミスタ
１３  Ａ／Ｄコンバータ
１４  ＬＣＤ（表示部）
１５  電源スイッチ
１６  ブザー（報音部）
１７  電池
【図１】
2006118926.tif 000003
【図２】
2006118926.tif 000004
【図３】
2006118926.tif 000005
【図４】
2006118926.tif 000006
【図５】
2006118926.tif 000007